(57)【要約】      （修正有）【課題】使用者が任意に定めた電気機器の一括電源オフ・オンが容易に可能な電気供給システムを提供する。【解決手段】コンセントとブレーカー間に電気供給をコントロールするスイッチを設けた一括オフ可能コンセントと、電気供給コントロールスイッチを設けない常時オンコンセントを同時に提供し、電気供給コントロールスイッチを操作しやすい一箇所に設置することで任意の電源オフ・オンが容易に可能な電気供給システムを提供する。１は、ブレーカーメインスイッチ、２は、ブレーカーサブスイッチ、３は、グループスイッチ、４は、スイッチ、５は、配線、６は、コンセント。【選択図】図１
0003112901.tif 000002
【実用新案登録請求の範囲】
【請求項１】
コンセントへの電気供給をコントロールするスイッチを設けた一括オフ機能付コンセントと、電気供給コントロールスイッチに接続されない常時オンコンセントの提供による特定電源一括オフ機能を特徴とする電気供給システム。
【考案の詳細な説明】
【技術分野】
【０００１】この考案は特定電源一括オフスイッチ付電気供給システムに関するものである。
【背景技術】
【０００２】スイッチ付テーブルタップによるテーブルタップのみの電源オフ機能が提供されている。また、ブレーカーによる電気供給一括オフが可能である。
【考案の開示】
【考案が解決しようとする課題】
【０００３】しかしながら、ブレーカーでは任意の電源のみのオフは不可能であり、スイッチ付テーブルタップを利用したとしても、任意の電気機器への全ての電源を一括オフするには異なる場所で複数テーブルタップを使用することとなり、使用者は異なる場所の複数のテーブルタップのスイッチを全てオフしなくてはならず、大変使い勝手が悪い。本考案は使用者が任意に定めた電気機器の一括電源オフ・オンが容易に可能な電気供給システムを提供しようとするものである。
【課題を解決するための手段】
【０００４】コンセントとブレーカー間に電気供給をコントロールするスイッチを設けた一括オフ可能コンセントと、電気供給コントロールスイッチを設けない常時オンコンセントを同時に提供し、電気供給コントロールスイッチを操作しやすい箇所に設置することで任意の電源オフ・オンが容易に可能な電気供給システムを提供することが可能となる。
【考案の効果】
【０００５】一括オフしたい電気機器のみを一括オフ可能コンセントに接続し、一括オフしたくない電気機器を常時オンコンセントに接続することで、任意に定めた電気機器への電気供給オフを容易に行うことが可能となる。【０００６】また、電源オフが容易にできることから、こまめに電源オフ→待機電流の消費カットが期待できる。
【考案を実施するための最良の形態】
【０００７】建物による、特定電源一括オフ機能付電気供給システムの提供を行うことが望ましい。
【実施例】
【０００８】家を建築する際の電気工事にて、コンセント設置箇所に２口コンセントであれば、片方が一括オフ可能コンセント・もう片方を常時オンコンセント、４口であれば、２口を一括オフコンセント、もう２口を常時オンコンセントのように設置。一括オフコンセントへの電気供給コントロールスイッチを操作しやすい箇所に設置し、特定電源一括オフ機能付電気供給システムを実現する。
【図面の簡単な説明】
【０００９】
【図１】特定電源オフ機能を実現する為の、電源供給システムを示した図
【符号の説明】
【００１０】１  ブレーカーメインスイッチ
２  ブレーカーサブスイッチ
３  グループスイッチ
４  スイッチ
５  配線
６  コンセント
【図１】
0003112901.tif 000003
【手続補正書】
【提出日】平成16年12月29日(2004.12.29)
【手続補正１】
【補正対象書類名】実用新案登録請求の範囲
【補正対象項目名】全文
【補正方法】変更
【補正の内容】
【実用新案登録請求の範囲】
【請求項１】
コンセント⇔ブレーカーサブスイッチ間にスイッチ（電気供給コントロールスイッチ）を設ける事により電気供給コントロールを可能にしたコンセント（オフ可能コンセント）と、コンセント⇔ブレーカーサブスイッチ間で電気供給をコントロールする事のできないコンセント（常時オンコンセント）を同時に提供する事により任意電源への電気供給をコントロール可能とする電気供給システム。
【手続補正２】
【補正対象書類名】明細書
【補正対象項目名】全文
【補正方法】変更
【補正の内容】
【考案の詳細な説明】
【技術分野】
【０００１】この考案は特定電源一括オフスイッチ付電気供給システムに関するものである。
【背景技術】
【０００２】スイッチ付テーブルタップによるテーブルタップのみの電源オフ機能が提供されている。また、ブレーカーによる電気供給一括オフが可能である。
【考案の開示】
【考案が解決しようとする課題】
【０００３】しかしながら、ブレーカーでは任意の電源のみのオフは不可能であり、スイッチ付テーブルタップを利用したとしても、任意の電気機器への全ての電気供給をオフするには異なる場所で複数テーブルタップを使用した上で、使用者は異なる場所の複数のテーブルタップのスイッチを全てオフしなくてはならず、大変使い勝手が悪い。本考案は使用者が任意に定めた電気機器への電気供給オフ・オンが容易に可能な電気供給システムを提供しようとするものである。
【課題を解決するための手段】
【０００４】同一電源内の任意のコンセント⇔ブレーカーサブスイッチ間にスイッチ（電気供給コントロールスイッチ）を設ける事により、同一電源内の任意のコンセントへの電気供給をコントロール可能にする。【０００５】電気供給コントロールスイッチに接続されたコンセント（オフ可能コンセント）と、コンセント⇔ブレーカーサブスイッチ間で電気供給をコントロールする事のできないコンセント（常時オンコンセント）を同時に提供する事により特定電源のみへの電気供給コントロールを可能とする。【０００６】複数の電気供給コントロールスイッチがある場合、グループスイッチを設ける事により複数の電気供給コントロールスイッチの一括オフ・オンを可能とする。また、スイッチをまとめて配置する事で利便性を高める事ができる。
【考案の効果】
【０００７】一括オフしたい電気機器のみをオフ可能コンセントに接続、その他電気機器を常時オンコンセントに接続することで、任意に定めた電気機器への電気供給オフ・オンを容易に行う事が可能となる。【０００８】容易な電源オフの実現により、こまめな電源オフ→待機電流消費カットが期待できる。
【考案を実施するための最良の形態】
【０００９】建物による、特定電源一括オフ機能付電気供給システムの提供を行うことが望ましい。
【実施例】
【００１０】家を建築する際の電気工事にて、コンセント設置箇所に２口コンセントであれば、片方がオフ可能コンセント・もう片方を常時オンコンセント、４口であれば、２口をオフ可能コンセント、もう２口を常時オンコンセントのように設置。オフ可能コンセントへの電気供給コントロールスイッチおよびグループスイッチを操作しやすい箇所にまとめて設置する。
【図面の簡単な説明】
【００１１】
【図１】特定電源オフ機能を実現する為の、電源供給システムを示した図
【符号の説明】
【００１２】１  ブレーカーメインスイッチ
２  ブレーカーサブスイッチ
３  スイッチ（電気供給コントロールスイッチ）
４  グループスイッチ
５  オフ可能コンセント
６  常時オンコンセント
７  配線
【手続補正３】
【補正対象書類名】図面
【補正対象項目名】図１
【補正方法】変更
【補正の内容】
【図１】
0003112901.tif 000004
【手続補正書】
【提出日】平成17年4月26日(2005.4.26)
【手続補正１】
【補正対象書類名】実用新案登録請求の範囲
【補正対象項目名】全文
【補正方法】変更
【補正の内容】
【実用新案登録請求の範囲】
【請求項１】
コンセントとブレーカーサブスイッチの間に電気供給をコントロールするスイッチを設ける事により電気供給コントロールを可能にしたオフ可能コンセントと、コンセントとブレーカーサブスイッチの間で電気供給をコントロールする事のできない常時オンコンセントを同時に提供する事により任意電源への電気供給をコントロール可能とする電気供給システム。